(57)【要約】【課題】ベッド用荷重検出器の過大な荷重による破損を抑制すること。【解決手段】荷重検出器１は、基板部２と、ベッドの脚部が載置される載置面14を有する荷重受け板部13が先端側に形成された片持ち梁部11と、片持ち梁部11の歪みを検出する歪み検出センサ19と、停止部９とを備える。片持ち梁部11は、荷重受け板部13が下降変位可能になるように基板部２に片持ち状に支持されている。停止部９は、載置面14に過大な荷重Ｃが掛かったとき荷重受け板部13が下降変位する途中で停止部９に衝当することにより荷重受け板部13の下降変位を停止するものである。【選択図】図６
2018057550.tif 000002
【特許請求の範囲】
【請求項１】
ベッドの脚部が載置される載置面を有する荷重受け板部が先端側に形成された片持ち梁部と、
ベッド設置面上に載置され、且つ前記片持ち梁部を支持する基板部と、
前記片持ち梁部の歪みを検出し、ベッドに掛かる荷重の検出に用いられる信号を出力する歪み検出センサと、
停止部と、を備えており、
前記片持ち梁部は、前記荷重受け板部が前記ベッド設置面に対して上側に離間した位置に配置されるように且つ前記荷重受け板部が下降変位可能になるように、前記基板部に片持ち状に支持されており、
前記載置面は、前記荷重受け板部の上面に形成されており、
前記停止部は、前記載置面に過大な荷重が掛かったとき前記荷重受け板部が下降変位する途中で前記停止部に衝当することにより前記荷重受け板部の下降変位を停止するものであるベッド用荷重検出器。
【請求項２】
前記基板部は、互いに離間して対向状に配置された一対の側枠部と、前記両側枠部の一端部同士を連結した第１連結枠部と、前記両側枠部の他端部同士を連結した第２連結枠部とを備えており、
前記片持ち梁部は、前記荷重受け板部が前記基板部の前記第２連結枠部に対して上側に離間した位置に配置されるように且つ前記荷重受け板部が前記基板部の前記両側枠部の間にて下降変位可能になるように、前記基板部の前記第１連結枠部に片持ち状に支持されており、
前記基板部の前記第２連結枠部が前記停止部として機能している請求項１記載のベッド用荷重検出器。
【請求項３】
ベッドの脚部が載置される載置面を有する荷重受け板部が先端側に形成された片持ち梁部と、
ベッド設置面上に載置され、且つ前記片持ち梁部を支持する基板部と、
前記片持ち梁部の歪みを検出し、ベッドに掛かる荷重の検出に用いられる信号を出力する歪み検出センサと、を備えており、
前記片持ち梁部は、前記荷重受け板部が前記ベッド設置面に対して上方に離間した位置に配置されるように且つ前記荷重受け板部が下降変位可能になるように、前記基板部に片持ち状に支持されており、
前記載置面は、前記荷重受け板部の上面に形成されており、
前記載置面に過大な荷重が掛かったとき前記荷重受け板部が下降変位する途中で前記ベッド設置面に衝当することにより前記荷重受け板部の下降変位が停止されるように構成されているベッド用荷重検出器。
【発明の詳細な説明】
【技術分野】
【０００１】
本発明は、医療施設、介護施設、宿泊施設、一般家庭等で使用され、ベッドに掛かる荷重を検出するベッド用荷重検出器に関する。
【背景技術】
【０００２】
ベッドを使用する使用者（例：病人、高齢者、被介護者、健康人）のベッド上での在床状況（例：入床、離床、上体起こし、寝返り）を計測するためなどに用いられる荷重検出器として、例えば、特許文献１〜７に開示されたベッド用荷重検出器が知られている。
【０００３】
上述の荷重検出器は、いずれも、片持ち梁部と片持ち梁部を支持する基板部とを備えている。片持ち梁部の先端側には荷重受け板部が形成されており、荷重受け板部の上面にはベッドの脚部が載置される載置面が形成されている。片持ち梁部は、荷重受け板部がベッド設置面（例：床面）に対して上側に離間した位置に配置されるように且つ荷重受け板部が下降変位可能になるように、基板部に略水平片持ち状に支持されている。そして、荷重検出器は、基板部がベッド設置面上に載置された状態で載置面上にベッドの脚部が載置されることにより、ベッドに掛かる荷重が検出されるように構成されている。
【０００４】
荷重検出器には、荷重検出器の定格荷重として例えば荷重検出器により実際に検出可能な最大荷重が設定されている。
【先行技術文献】
【特許文献】
【０００５】
【特許文献１】特開２００９−２２６５０号公報
【特許文献２】特開２００９−２２６４８号公報
【特許文献３】特開２００８−６５７００号公報
【特許文献４】特開２００８−１２２０２号公報
【特許文献５】特開２００７−１６７４９２号公報
【特許文献６】特開２００６−３０２２６６号公報
【特許文献７】特開２０１１−５６１５２号公報
【発明の概要】
【発明が解決しようとする課題】
【０００６】
ところで、荷重検出器の載置面上にベッドの脚部が載置された状態において、当該ベッド上に複数の人が同時に乗る場合がある。その場合とは、例えば、病院などにおいてベッド上の使用者（例：病人）の容体が急変したとき使用者に対して緊急処置を施すために複数の人がベッド上に同時に乗る場合が挙げられる。このような場合、載置面に荷重検出器の定格荷重を超える過大な荷重が掛かり、その結果、片持ち梁部が塑性変形するなどして荷重検出器が破損する虞がある。
【０００７】
本発明は上述した技術背景に鑑みてなされたもので、本発明の解決課題はベッド用荷重検出器の過大な荷重による破損を抑制することにある。
【課題を解決するための手段】
【０００８】
本発明は以下の手段を提供する。
【０００９】
［１］  ベッドの脚部が載置される載置面を有する荷重受け板部が先端側に形成された片持ち梁部と、
ベッド設置面上に載置され、且つ前記片持ち梁部を支持する基板部と、
前記片持ち梁部の歪みを検出し、ベッドに掛かる荷重の検出に用いられる信号を出力する歪み検出センサと、
停止部と、を備えており、
前記片持ち梁部は、前記荷重受け板部が前記ベッド設置面に対して上側に離間した位置に配置されるように且つ前記荷重受け板部が下降変位可能になるように、前記基板部に片持ち状に支持されており、
前記載置面は、前記荷重受け板部の上面に形成されており、
前記停止部は、前記載置面に過大な荷重が掛かったとき前記荷重受け板部が下降変位する途中で前記停止部に衝当することにより前記荷重受け板部の下降変位を停止するものであるベッド用荷重検出器。
【００１０】
［２］  前記基板部は、互いに離間して対向状に配置された一対の側枠部と、前記両側枠部の一端部同士を連結した第１連結枠部と、前記両側枠部の他端部同士を連結した第２連結枠部とを備えており、
前記片持ち梁部は、前記荷重受け板部が前記基板部の前記第２連結枠部に対して上側に離間した位置に配置されるように且つ前記荷重受け板部が前記基板部の前記両側枠部の間にて下降変位可能になるように、前記基板部の前記第１連結枠部に片持ち状に支持されており、
前記基板部の前記第２連結枠部が前記停止部として機能している前項１記載のベッド用荷重検出器。
【００１１】
［３］  ベッドの脚部が載置される載置面を有する荷重受け板部が先端側に形成された片持ち梁部と、
ベッド設置面上に載置され、且つ前記片持ち梁部を支持する基板部と、
前記片持ち梁部の歪みを検出し、ベッドに掛かる荷重の検出に用いられる信号を出力する歪み検出センサと、を備えており、
前記片持ち梁部は、前記荷重受け板部が前記ベッド設置面に対して上方に離間した位置に配置されるように且つ前記荷重受け板部が下降変位可能になるように、前記基板部に片持ち状に支持されており、
前記載置面は、前記荷重受け板部の上面に形成されており、
前記載置面に過大な荷重が掛かったとき前記荷重受け板部が下降変位する途中で前記ベッド設置面に衝当することにより前記荷重受け板部の下降変位が停止されるように構成されているベッド用荷重検出器。
【発明の効果】
【００１２】
本発明は以下の効果を奏する。
【００１３】
前項［１］では、荷重検出器の停止部は、載置面に過大な荷重が掛かったとき荷重受け板部が下降変位する途中で停止部に衝当することにより荷重受け板部の下降変位を停止するものなので、載置面に過大な荷重が掛かった場合でも、荷重検出器の破損（例えば、片持ち梁部の塑性変形）を抑制できる。
【００１４】
前項［２］では、基板部は両側枠部と第１及び第２連結枠部とを備えているので高い剛性を有している。そのため、基板部は片持ち梁部をしっかりと支持することができる。さらに、基板部の第２連結枠部が停止部として機能しているので、荷重検出器に別途、停止部を設ける必要がないし、荷重検出器の構造の簡素化を図ることができる。
【００１５】
前項［３］では、荷重検出器は、載置面に過大な荷重が掛かったとき荷重受け板部が下降変位する途中でベッド設置面に衝当することにより荷重受け板部の下降変位が停止されるように構成されているので、載置面に過大な荷重が掛かった場合でも、荷重検出器の破損（例えば、片持ち梁部の塑性変形）を抑制できる。
【図面の簡単な説明】
【００１６】
【図１】図１は、本発明の第１実施形態に係るベッド用荷重検出器の一使用状態の斜視図である。
【図２】図２は、図１中のＡ部分の拡大図である。
【図３】図３は、同荷重検出器の斜視図である。
【図４】図４は、同荷重検出器の分解斜視図である。
【図５】図５は、図３中のＢ−Ｂ線断面図である。
【図６】図６は、同荷重検出器の載置面に過大な荷重が掛かった状態の同荷重検出器の断面図である。
【図７】図７は、本発明の第２実施形態に係るベッド用荷重検出器において、同荷重検出器の載置面に過大な荷重が掛かった状態の同荷重検出器の断面図である。
【発明を実施するための形態】
【００１７】
次に、本発明の第１実施形態について図面を参照して以下に説明する。
【００１８】
図１中の符号「１」は本発明の第１実施形態に係るベッド用荷重検出器である。
【００１９】
図１中の符号「２０」は、本発明の一実施形態に係るベッド用在床状況計測装置である。この計測装置２０は、ベッド３０を使用する使用者４０のベッド３０上での在床状況を計測するものであり、本第１実施形態の４個の荷重検出器１、演算器２１などを具備している。
【００２０】
この計測装置２０により計測される使用者４０の在床状況としては、使用者４０のベッド３０上への入床、使用者４０のベッド３０上からの離床、使用者４０の上体起こしの有無、使用者４０の寝返りの有無などが挙げられる。
【００２１】
ベッド３０は、一般に市販されているものであり、医療施設（例：病院）、高齢者施設、介護施設、宿泊施設（例：ホテル）、一般家庭などで使用されるものである。さらに、このベッド３０は、病室、検査室、診察室、宿泊室、寝室等における床面からなるベッド設置面３５上に設置されるものである。
【００２２】
ベッド３０上には、使用者４０として、病人、認知症患者、高齢者、宿泊客、健康人などの人が、睡眠、休息、療養、診察、検査等のために様々な姿勢（例：仰臥姿勢、伏臥姿勢、側臥姿勢）で在床する。
【００２３】
ここで本実施形態では、説明の便宜上、ベッド３０上に使用者４０が仰臥姿勢で就寝する状態において、ベッド３０における使用者４０の頭側を「ベッド３０の頭側」、使用者４０の足側を「ベッド３０の足側」、使用者４０の右側を「ベッド３０の右側」及び使用者４０の左側を「ベッド３０の左側」と定義する。したがって、ベッド３０の左右方向はベッド３０の幅方向と一致している。
【００２４】
ベッド３０は４本の脚部３１を有している。各脚部３１の下端部にはベッド３０の移動のための回転自在なキャスタは設けられていない。なお本発明では、その他に、ベッド３０の各下端部にはキャスタが設けられていても良い。
【００２５】
各脚部３１の下面３３の幅は荷重検出器１の後述する載置面１４の幅よりも小さい。
【００２６】
なお、ベッド３０の各脚部３１の下面（３３、図２参照）は、各荷重検出器１を使用しない場合における、各脚部３１のベッド設置面３５への接触面である。
【００２７】
各荷重検出器１は、ベッド３０に掛かる荷重を検出するものであり、詳述すると、ベッド３０の対応する脚部３１に掛かる荷重を検出するものである。すなわち、４個の荷重検出器１において、ベッド３０の頭側左脚部３１の下側に配置された荷重検出器１、ベッド３０の頭側右脚部３１の下側に配置された荷重検出器１、ベッド３０の足側左脚部３１の下側に配置された荷重検出器１、及び、ベッド３０の足側右脚部３１の下側に配置された荷重検出器１は、それぞれ、ベッド３０の頭側左脚部３１に掛かる荷重、ベッド３０の頭側右脚部３１に掛かる荷重、ベッド３０の足側左脚部３１に掛かる荷重、及び、ベッド３０の足側右脚部３１に掛かる荷重を検出するものである。これらの荷重検出器１は互いに同一形状及び同一寸法である。
【００２８】
荷重検出器１の幅方向はベッド３０の左右方向（即ちベッド３０の幅方向）と一致している。
【００２９】
荷重検出器１により検出された荷重は、使用者４０のベッド３０上での在床状況を計測するためなどに用いられ、本実施形態では当該在床状況を上述の計測装置２０により計測するために用いられる。
【００３０】
荷重検出器１には、荷重検出器１の定格荷重として、荷重検出器１により実際に検出可能な最大荷重が設定されている。定格荷重は例えば２００ｋｇｆ（１９６０Ｎ）に設定されている。
【００３１】
荷重検出器１は、図３及び４に示すように、基板部２、略板状の片持ち梁部１１、歪み検出センサ１９、停止部９などを備えている。基板部２及び片持ち梁部１１はいずれも金属製であり、詳述すると例えばアルミニウム（その合金を含む）製である。
【００３２】
片持ち梁部１１は起歪体として機能するものであり、片持ち梁部１１の先端側（遊端側）に荷重受け板部１３が形成されている。荷重受け板部１３の上面には載置面１４が形成されている。載置面１４上にはベッド３０の脚部３１が載置される。本実施形態では、載置面１４上には詳述するとベッド３０の脚部３１の下端部としての下面３３が載置される。載置面１４は平面視四角形状で且つ平坦状に形成されている。
【００３３】
さらに、載置面１４の先端には落下防止用凸条部１５が載置面１４の先端縁に沿って局部的に形成されている。この凸条部１５は、ベッド３０の脚部３１の載置面１４上からの落下を防止する落下防止手段に相当するものであり、詳述すると、ベッド３０の脚部３１の下面３３が載置面１４の先端から落下するのを防止するための部位である。
【００３４】
片持ち梁部１１の基端部（固定端部）１２には、固定ボルト８に対応する複数の雌ねじ孔１６がその厚さ方向（即ち上下方向）に貫通して形成されている。本実施形態では、固定ボルト８の数は４個である。固定ボルト８は、片持ち梁部１１の基端部１２を基板部２（詳述すると基板部２の後述する第１連結枠部４Ａ）に固定するためのものであり、例えば六角孔付きボルトからなる。
【００３５】
片持ち梁部１１における基端部１２と荷重受け板部１３との間の部位からなる歪み発生予定部１８には、片持ち梁部１１の幅方向に貫通したロバーバル機構形成用貫通孔１７が形成されている。これにより、片持ち梁部１１の歪み発生予定部１８にロバーバル機構が形成されている。
【００３６】
歪み検出センサ１９は、片持ち梁部１１に発生した歪み（その変動を含む。以下同じ）を検出し、ベッド３０（詳述するとベッド３０の脚部３１）に掛かる荷重の検出に用いられる信号を出力するものであり、片持ち梁部１１の歪み発生予定部１８の上面に接着剤等により接着されて設けられている。
【００３７】
歪み検出センサ１９としては、例えば圧電フィルムセンサが用いられる。圧電フィルムセンサは、例えば、圧電効果を有するプラスチックＰＶＤＦ（PolyVinylidene DiFluoride、ポリフッ化ビニリデン）で形成されており、ピエゾフィルムセンサとも呼ばれている。そして、歪み検出センサ１９は、片持ち梁部１１の歪み発生予定部１８に発生した歪みを検出するとともに検出した歪みの大きさに対応する電圧を、ベッド３０（詳述するとベッド３０の脚部３１）に掛かる荷重の検出に用いられる信号として歪み検出センサ１９から出力するものである。
【００３８】
基板部２は、図４に示すように、基板部２（荷重検出器１）の幅方向に互いに離間して対向状に配置された左右一対の側枠部３、３と、両側枠部３、３の一端部同士を連結した第１連結枠部４Ａと、両側枠部３、３の他端部同士を連結した第２連結枠部４Ｂとを備えたものである。両連結枠部４Ａ、４Ｂは基板部２（荷重検出器１）の長さ方向に互いに離間して配置されている。そして、基板部２は、両側枠部３、３と両連結枠部４Ａ、４Ｂとによって平面視略口字枠状に形成されている。そのため、基板部２の中央部には、両側枠部３、３と両連結枠部４Ａ、４Ａとで包囲された平面視略四角形状の中央孔５が形成されている。
【００３９】
また、第１連結枠部４Ａには複数の固定ボルト８用挿通孔６が上下方向に貫通して形成されている。
【００４０】
そして、片持ち梁部１１の基端部１２が基板部２の第１連結枠部４Ａ上に複数の固定ボルト８によって固定されている。この固定状態では、各固定ボルト８は、図５に示すように、第１連結枠部４Ａの挿通孔６にその下側から上方向に挿通されて片持ち梁部１１の基端部１２の雌ねじ孔１６に螺合している。
【００４１】
このように片持ち梁部１１の基端部１２が第１連結枠部４Ａ上に固定されることにより、片持ち梁部１１は、荷重受け板部１３が基板部２の両側枠部３、３の間にて下降変位可能になるように第１連結枠部４Ａに略水平片持ち状に支持されている。
【００４２】
さらに、片持ち梁部１１は、基板部２がベッド設置面（図５中に二点鎖線で示す）３５上に載置された状態のときに荷重受け板部１３がベッド設置面３５に対して上側に離間した位置に配置されるように更に荷重受け板部１３が基板部２の第２連結枠部４Ｂに対して上側に少し離間した位置に配置されるように、第１連結枠部４Ａに支持されている。
【００４３】
さらに、片持ち梁部１１は、基板部２がベッド設置面３５上に載置された状態のときに載置面１４が略水平に配置されるように第１連結枠部４Ａに支持されている。
【００４４】
そして、荷重検出器１は、図１及び２に示すように、基板部２がベッド設置面３５上に載置された状態において片持ち梁部１１の載置面１４上にベッド３０の脚部３１が載置されることにより、ベッド３０に掛かる荷重としてベッド３０の脚部３１に掛かる荷重を検出するように構成されている。
【００４５】
停止部９は、図６に示すように、載置面１４に過大な荷重Ｃが掛かったとき荷重受け板部１３が下降変位する途中で停止部９に衝当することにより荷重受け板部１３の下降変位を停止するものである。本第１実施形態の荷重検出器１では、基板部２の第２連結枠部４Ｂが停止部９として機能している。
【００４６】
次に、荷重検出器１の使用方法及び動作について以下に説明する。
【００４７】
荷重検出器１の基板部２がベッド設置面３５上に載置された状態（図５参照）では、上述したように、荷重受け板部１３はベッド設置面３５に対して上側に離間した位置に配置され更に荷重受け板部１３は基板部２の第２連結枠部４Ｂに対して上側に少し離間した位置に配置される。さらに、載置面１４は略水平に配置される。
【００４８】
荷重受け板部１３の下降変位可能なストローク量は、ベッド設置面３５上に載置された基板部２の第２連結枠部４Ｂの上面の高さ（即ち第２連結枠部４Ｂの厚さ）によって決定されている。
【００４９】
次いで、各荷重検出器１の載置面１４上にベッド３０の対応する脚部３１を載置する。すると、載置面１４にベッド３０の脚部３１から下向きの荷重が掛かり、この荷重によって荷重受け板部１３が基板部２の両側枠部３、３の間にて下降変位するように片持ち梁部１１が弾性的に僅かに撓曲する。これにより、片持ち梁部１１の歪み発生予定部１８に歪みが発生し、この歪みが歪み検出センサ１９により検出される。
【００５０】
歪みを検出した歪み検出センサ１９は、検出した歪みの大きさに対応した電圧を、歪み検出センサ１９から出力される信号として、荷重検出器１に備えられた荷重演算部（図示せず）に出力する。荷重演算部は、歪み検出センサ１９から出力された電圧に基づいてベッド３０の脚部３１に掛かる荷重を演算（検出）する。そして、演算（検出）された荷重は、荷重検出器１から送信される信号として、荷重検出器１から所定の通信手段（例：無線通信手段）により演算器２１に送信される（図１参照）。
【００５１】
演算器２１は、ＲＡＭ、ＲＯＭその他のメモリ、ＣＰＵ等を有するコンピュータを備えたものであり、各荷重検出器１から送信された信号に基づいてベッド３０上の使用者４０の在床状況を演算（計測）するものである。コンピュータには使用者４０の在床状況を演算（計測）するためのプログラムがインストールされている。
【００５２】
ここで本第１実施形態では、荷重検出器１は荷重演算部を備えているが、本発明では、その他に、荷重検出器１は荷重演算部を備えていないで演算器２１が荷重演算部を備えていても良い。この場合、各荷重検出器１において歪みを検出した歪み検出センサ１９は、検出した歪みの大きさに対応した電圧を、歪み検出センサ１９から出力される信号として、演算器２１の荷重演算部に送信する。演算器２１は、各荷重検出器１から送信された信号として、各荷重検出器１の歪み検出センサ１９から送信された電圧に基づいてベッド３０上の使用者４０の在床状況を演算（計測）するものとなる。
【００５３】
演算器２１が使用者４０の在床状況として例えば使用者４０がベッド３０上に入床したと演算する場合について、以下に簡単に説明する。演算器２１は、各荷重検出器１から送信された信号（荷重又は電圧）に基づいてベッド３０の各脚部３１に掛かる荷重を合計した総荷重を演算し、そして総荷重が所定の閾値よりも大きい場合、使用者４０がベッド３０上に入床したと演算する。
【００５４】
本第１実施形態の荷重検出器１では、図６に示すように、載置面１４に荷重検出器１の定格荷重を超える過大な下向きの荷重Ｃが掛かった場合、荷重受け板部１３（詳述すると荷重受け板部１３の下面１３ａ）は基板部２の両側枠部３、３の間にて下降変位する途中で基板部２の第２連結枠部４Ｂ（詳述すると第２連結枠部４Ｂの上面）に衝当し、これにより荷重受け板部１３の下降変位が停止される。その結果、片持ち梁部１１の塑性変形が阻止される。
【００５５】
したがって、載置面１４に過大な荷重Ｃが掛かった場合でも、片持ち梁部１１が塑性変形しないように荷重受け板部１３の過度の下降変位が第２連結枠部４Ｂで規制され、そのため、荷重検出器１の破損が抑制される。
【００５６】
さらに、本第１実施形態の荷重検出器１によれば、基板部２は両側枠部３、３と第１及び第２連結枠部４Ａ、４Ｂとを備えているので高い剛性を有している。そのため、基板部２は片持ち梁部１１をしっかりと支持することができる。しかも、第２連結枠部４Ｂが停止部９として機能しているので、荷重検出器１に別途、停止部を設ける必要がないし、荷重検出器１の構造の簡素化を図ることができる。
【００５７】
このように、第２連結枠部４Ｂは、基板部２が片持ち梁部１１をしっかりと支持できるように基板部２の剛性を高める役割と、荷重受け板部１３の下降変位を停止する役割とを兼ね備えたものである。
【００５８】
図７は、本発明の第２実施形態に係るベッド用荷重検出器１０１を説明する図である。図７において、上記第１実施形態の荷重検出器１の要素と同じ作用を奏する、本第２実施形態の荷重検出器１０１の要素には、上記第１実施形態の荷重検出器１の要素に付された符号と同じ符号が付されている。
【００５９】
本第２実施形態の荷重検出器１０１において、基板部２は第２連結枠部（４Ｂ、図６参照）を備えていない。
【００６０】
本第２実施形態の荷重検出器１０１では、載置面１４に荷重検出器１の定格荷重を超える過大な下向きの荷重Ｃが掛かった場合、荷重受け板部１３（詳述すると荷重受け板部１３の下面１３ａの先端）は基板部２の両側枠部３、３の間にて下降変位する途中でベッド設置面３５に衝当し、これにより荷重受け板部１３の下降変位が停止される。その結果、片持ち梁部１１の塑性変形が阻止される。
【００６１】
したがって、載置面１４に過大な荷重Ｃが掛かった場合でも、片持ち梁部１１が塑性変形しないように荷重受け板部１３の過度の下降変位がベッド設置面３５で規制され、そのため、荷重検出器１０１の破損が抑制される。
【００６２】
以上で本発明の幾つかの実施形態について説明したが、本発明は上記実施形態に限定されるものではなく、本発明の要旨を逸脱しない範囲で様々に変更可能である。
【産業上の利用可能性】
【００６３】
本発明は、医療施設、介護施設、宿泊施設、一般家庭等で使用され、ベッドに掛かる荷重を検出するベッド用荷重検出器に利用可能である。
【符号の説明】
【００６４】
１、１０１：荷重検出器
２：基板部
３：側枠部
４Ａ：第１連結枠部
４Ｂ：第２連結枠部  
９：停止部
１１：片持ち梁部
１３：荷重受け板部
１４：載置面
１９：歪み検出センサ
３０：ベッド
３１：ベッドの脚部
３５：ベッド設置面
４０：使用者
【図１】
2018057550.tif 000003
【図２】
2018057550.tif 000004
【図３】
2018057550.tif 000005
【図４】
2018057550.tif 000006
【図５】
2018057550.tif 000007
【図６】
2018057550.tif 000008
【図７】
2018057550.tif 000009